(57)【特許請求の範囲】
【請求項１】
電力を必要とする複数の需要素向けに準備された蓄電池を制御する制御装置による蓄電池制御方法であって、
前記複数の需要素それぞれは、前記蓄電池の単位時間当たりに使用可能な電力量が定められており、
各需要素で単位時間当たりに使用される電力量を検出する検出ステップと、
前記複数の需要素で使用される電力量の総量が、当該総量に対して設けられた統合閾値を超えている場合に、各需要素について、各々で使用される電力量が、それぞれの需要素に対して設定された個別閾値を超えるか否かを判定する判定ステップと、
前記検出ステップで検出された電力量が設定されている個別閾値を超えていると判定された需要素に対して、前記使用可能な電力量の範囲内で、前記蓄電池を放電させて配電網に電力を供給させる供給ステップとを含む
ことを特徴とする蓄電池制御方法。
【請求項２】
前記判定ステップは、更に、前記総量から、前記蓄電池から供給された電力量を減算した値がなお、前記統合閾値を超えるか否かを判定し、
前記供給ステップは、前記蓄電池から供給された電力量を減算した値がなお、前記統合閾値を超えると判定された場合に、他の需要素に対して定められている使用可能な電力量の範囲内で前記蓄電池を放電させて前記配電網に電力を供給させる
ことを特徴とする請求項１記載の蓄電池制御方法。
【請求項３】
前記蓄電池制御方法は、更に、
前記供給ステップにおいて、個別閾値を超えている需要素のために、前記他の需要素に対して定められている使用可能な電力の範囲内で前記蓄電池から電力が供給された場合に、前記需要素から前記他の需要素に対してインセンティブを支払う支払ステップを含む
ことを特徴とする請求項２記載の蓄電池制御方法。
【請求項４】
前記複数の需要素の少なくとも一つは、当該需要素に対して設けられた小型蓄電池を備え、
前記蓄電池から電力を供給された後に、前記総量から、前記蓄電池から供給された電力量を減算した値がなお、前記統合閾値を超えると判定された場合であって、使用している電力量が設定されている個別閾値を超えると判定された需要素が前記小型蓄電池を備えているときに、当該小型蓄電池からの放電を指示する制御ステップを更に含む
ことを特徴とする請求項１記載の蓄電池制御方法。
【請求項５】
前記複数の需要素の少なくとも一つは、当該需要素において使用される電気機器の制御を実行するＨＥＭＳ（Home Energy Management System）を備え、
前記蓄電池から電力を供給された後に、前記総量から、前記蓄電池から供給された電力量を減算した値がなお、前記統合閾値を超えると判定された場合であって、使用している電力量が設定されている個別閾値を超えると判定された需要素が前記ＨＥＭＳを備えているときに、当該ＨＥＭＳに対して電気機器で使用されている電力を抑制する制御を指示する制御ステップを更に含む
ことを特徴とする請求項１記載の蓄電池制御方法。
【請求項６】
前記蓄電池制御方法は、更に、
前記検出ステップが前記検出を行った時の時刻を取得する計時ステップと、
前記計時ステップにより計時された時刻が対応する単位時間で前記蓄電池に放電させることができる電力量を取得する電力量取得ステップを含み、
前記供給ステップは、前記電力量取得ステップにおいて取得された電力量を上限として前記蓄電池から前記配電網に電力を供給させる
ことを特徴とする請求項１記載の蓄電池制御方法。
【請求項７】
電力を必要とする複数の需要素向けに準備された蓄電池を制御する蓄電池制御システムであって、
前記複数の需要素それぞれは、前記蓄電池の単位時間当たりに使用可能な電力量が定められており、
各需要素で単位時間当たりに使用される電力量を検出する検出手段と、
前記複数の需要素で使用される電力量の総量が、当該総量に対して設けられた統合閾値を超えている場合に、各需要素について各々で使用される電力量が、それぞれの需要素に対して設定された個別閾値を超えるか否かを判定する判定手段と、
前記検出手段で検出された電力量が設定されている個別閾値を超えていると判定された需要素に対して、前記使用可能な電力量の範囲内で、前記蓄電池を放電させて配電網に電力を供給させる供給手段とを備える
ことを特徴とする蓄電池制御システム。
【発明の詳細な説明】
【技術分野】
【０００１】
本発明は大容量蓄電池の制御システムに関する。
【背景技術】
【０００２】
近年、停電や災害等に備えて、非常用電源を備える家庭が増加している。【０００３】
また、家庭に限らず、マンションなど、集合住宅単位で一つの大容量蓄電池を有する非常用電源を備えることもある。【０００４】
特許文献１には、そのような集合住宅で非常用電源を共有する場合の電力制御を実行する電力供給システムが開示されている。
【先行技術文献】
【特許文献】
【０００５】
【特許文献１】特開２０１１−２０５８７１号公報
【特許文献２】特開２０１２−１９１８２５号公報
【発明の概要】
【発明が解決しようとする課題】
【０００６】
本発明においては、複数世帯で大容量の蓄電池を共有する場合に、当該蓄電池の利便性を高めることができる蓄電池制御方法を開示する。
【課題を解決するための手段】
【０００７】
上記課題を解決するため、本発明は、電力を必要とする複数の需要素向けに準備された蓄電池を制御する制御装置による蓄電池制御方法であって、各需要素で単位時間当たりに使用される電力量を検出する検出ステップと、前記複数の需要素のうち、１以上の需要素で使用される電力量が予め定められた閾値を超えるか否かを判定する判定ステップと、前記判定ステップにおいて、前記１以上の需要素で使用される電力量が予め定められた閾値を超えていると判定された場合に、前記蓄電池に、前記１以上の需要素が属する配電網に電力を供給させる供給ステップとを含むことを特徴としている。
【発明の効果】
【０００８】
上述のような構成によって、ある需要素における電力のピークカットを実行でき、例えば、高圧一括受電のような使用電力のピークに応じて電気料金が定まる方式の場合に、支払料金を低減することができる。
【図面の簡単な説明】
【０００９】
【図１】蓄電池制御システムの構成を示すシステム図
【図２】アグリゲーター１００の機能構成を示すブロック図
【図３】マンション１２０ａの構成を示すブロック図
【図４】メガバッテリー１１０の機能構成を示すブロック図
【図５】電力制御テーブル２０１のデータ構成例を示す概念図
【図６】残余電力テーブル２０２のデータ構成例を示す概念図
【図７】実施の形態１に係る蓄電池制御システムの動作を示すフローチャート
【図８】図７のフローチャートの続き
【図９】インセンティブ処理に係るアグリゲーター１００の動作を示すフローチャート
【図１０】実施の形態２に係るアグリゲーター１００の動作を示すフローチャート
【図１１】図１０のフローチャートの続き
【図１２】実施の形態３に係る蓄電池制御システムの構成を示すシステム図
【図１３】コントロールサーバの機能構成を示すブロック図
【図１４】各コミュニティの時間毎の使用可能電力量を示す表
【図１５】実施の形態３に係る蓄電池制御システムの動作を示すフローチャート
【発明を実施するための形態】
【００１０】
＜発明者らが得た知見＞
現在、マンションやアパート等の集合住宅において、メガバッテリーを備えるものが増加している。今後、これは、複数の集合住宅で、一つのメガバッテリーを共有するといった手法をとることも考えられる。
【００１１】
ところで、電力会社から商用電力の供給を受けるにあたって、低圧受電方式と、高圧一括受電方式というサービスが受けられる。低圧受電方式は、各家庭が個別に電力会社から、低圧の電力の供給を逐次受ける方式である。また、高圧一括受電方式は、高圧の電力の供給を一度にまとめて受ける方式であり、マンション等の集合住宅などで利用されることが多い。高圧一括受電方式は、電力を高圧で一括で受電するため、マンションなどで低圧に降圧して、各部屋に配分する必要があるものの、低圧受電方式よりも基本料金が安いというメリットがある。
【００１２】
一方で、高圧一括受電方式の場合、月に一定以上電力量を使用するピークに応じて（例えば、ピークの発生回数や、ピーク時の使用電力量等）、電気料金が割り増しされる方式をとるものが多い。そのため、電気料金の低減には、ピークの発生をなるべく抑制することが要求される。
【００１３】
そのための一手法として、発明者らは、マンションなどの集合住宅複数で共有するメガバッテリーを用いることで、このピークカットを実現できることに想到した。
【００１４】
以下、本発明に係る蓄電池制御システムについて説明する。
＜実施の形態１＞
以下、本発明の一実施形態である蓄電池制御システムについて図面を用いて説明する。
＜構成＞
図１は、蓄電池制御システムのシステム構成を示すシステム図である。
【００１５】
図１に示すように、蓄電池制御システムは、アグリゲーター１００と、メガバッテリー１１０と、マンション１２０ａ、１２０ｂ、１２０ｃと、電力会社１３０と、銀行１４０と、配電網１５０と、通信網１６０とから構成される。
【００１６】
アグリゲーター１００は、通信網１６０を介して、メガバッテリー１１０と、各マンション１２０ａ、１２０ｂ、１２０ｃ（より正確には後述する各マンションの共用部コントローラ）と、銀行１４０とに接続されている。
【００１７】
メガバッテリー１１０は、大容量の蓄電池であり、通信網を介してアグリゲーター１００と接続される。また、メガバッテリー１１０は、配電網１５０にも接続され、配電網１５０への放電、配電網１５０からの受電を行う。
【００１８】
マンション１２０ａ、１２０ｂ、１２０ｃは、通信網１６０を介して、アグリゲーター１００と接続されている。また、各マンション１２０ａ、１２０ｂ、１２０ｃは、配電網１５０を介して電力会社１３０から商用電力の供給を受け、当該商用電力を、マンション内の各部屋に各種電気機器に供給する。なお、ここで、マンション１２０ａ、１２０ｂ、１２０ｃ全体で、高圧一括受電方式による電力供給を、電力会社１３０から受けているものとする。
【００１９】
電力会社１３０は、配電網１５０を介して、各マンション１２０ａ、１２０ｂ、１２０ｃの商用電力を供給する機能を有する。
【００２０】
ここから、アグリゲーター１００の詳細について説明する。
【００２１】
図２は、アグリゲーター１００の機能構成を示すブロック図である。
【００２２】
図２に示すようにアグリゲーター１００は、使用電力量取得部１０１と、制御部１０２と、記憶部１０４と、指示部１０５と、電力取得部１０６とから構成される。
【００２３】
使用電力量取得部１０１は、各マンション１２０ａ、１２０ｂ、１２０ｃと通信網１６０を介して接続され、それぞれで使用している使用電力量を取得する機能を有する。使用電力量は、どのマンションでの使用電力量かを区別できるように、各マンションを示すマンションＩＤと対応付けられて、送信される。使用電力量取得部１０１は、一定時間毎（例えば１分単位）に各マンションから送信される使用電力量を取得し、取得する毎に、取得した各マンションの使用電力量を制御部１０２に伝達する。
【００２４】
制御部１０２は、判定部１０３を含んで構成され、アグリゲーター１００の各機能部を制御する機能を有し、メガバッテリー１１０の放電の要否を判定する判定処理およびメガバッテリー１１０の放電を制御する蓄電池制御処理を実行する機能を有する。
【００２５】
制御部１０２は、使用電力量取得部１０１から各マンションの使用電力量を受け取ると、判定部１０３に各使用電力量を伝達する。
【００２６】
判定部１０３は、伝達された各マンションの使用電力量に基づいて、その使用電力量の総和が予め定められた閾値（以下、総和電力閾値と呼称する）を超えるか否かを判定する機能を有する。具体的には、判定部１０３は、伝達された各マンション１２０ａ、１２０ｂ、１２０ｃの使用電力量の総和演算を行い、総使用電力量を算出する。次に、判定部１０３は、記憶部１０４に記憶されている電力制御テーブル２０１を参照して、各マンションに対して設定されている電力閾値の総和である総和電力閾値を算出する。そして、判定部１０３は、総使用電力量が総和電力閾値を超えているか否かを判定する。
【００２７】
総使用電力量が総和電力閾値を超えている場合には、判定部１０３は、更に、各マンションの使用電力量について、電力制御テーブル１２０を参照して各マンションに設定されている電力閾値を超えているかを判定する。そして、判定部１０３は、総使用電力量が総和電力閾値を超えていることと、使用電力量が電力閾値を超えているマンションについての情報（マンションＩＤ）を制御部１０２に伝達する。
【００２８】
制御部１０２は、判定部１０３から、総使用電力量が電力閾値の総和を超えているとの通知を受けた場合に、使用電力量が電力閾値を超えているマンションについて、そのマンションにおける使用電力量を低減する（ピークカットを行う）ための蓄電池制御処理を実行する。
【００２９】
制御部１０２は、蓄電池制御処理として、判定部１０３により電力閾値を超えていると判定されたマンションについて、残余電力テーブル２０２を参照して、そのマンションが所有している電池セルに放電を指示するよう指示部１０５に伝達する。また電池セルの残余電力量と電力閾値を加算した値が、なお、使用電力量を下回る場合に、電力制御テーブル２０１を参照して、他のマンションが所有する電池セルに対する放電指示や、マンションがサブバッテリーを保持していた場合にそのサブバッテリーに対する放電指示や、マンションがＨＥＭＳを登載していた場合に、ＨＥＭＳによる使用電力抑制制御の依頼指示を指示部１０５に伝達する。
【００３０】
蓄電池制御処理についての詳細は、図７、図８のフローチャートを用いて後述する。
【００３１】
また、制御部１０２は、電力のピークカットのためにメガバッテリー１１０からの放電が必要なマンションについて、他のマンションから電力を借りた場合に、そのマンションから他のマンションにインセンティブを払うインセンティブ処理を実行する機能を有する。インセンティブとしては、金銭が支払われる。これは、予め定められた借りた電力量に応じた料金を算出する数式（例えば、借りた単位時間当たりの電力量Ｖと、単位時間当たりの料金の単価Ｐの乗算式Ｖ×Ｐ）を用いて算出する。そして、制御部１０２は、算出したインセンティブを、電力を借りたマンションの口座から電力を貸したマンションの口座に算出した料金の振り込みを、通信網１６０を介して、指示部１０５から銀行１４０に要求する。
【００３２】
記憶部１０４は、アグリゲーター１００が動作するために必要な各種プログラムおよびデータを記憶する機能を有し、ハードディスク装置や各種メモリ等の記録媒体により実現される。記憶部１０４は、判定部１０３および制御部１０２により判定処理や蓄電池制御処理のために参照される電力制御テーブル２０１と、メガバッテリー１１０の各電池セルの電力量を示す残余電力テーブル２０２とを保持している。電力制御テーブル２０１と残余電力テーブル２０２の詳細については後述する。
【００３３】
指示部１０５は、制御部１０２から通知された内容に従って、通信網１６０を介して、各マンション１２０ａ、１２０ｂ、１２０ｃあるいはメガバッテリー１１０に対して、放電指示を送信する機能を有する。また、指示部１０５は、制御部１０２から通知された内容に従って、通信網１６０を介して、各マンション１２０ａ、１２０ｂ、１２０ｃにサブバッテリー１２３の放電指示やＨＥＭＳ１２４の電力抑制制御の依頼指示を送信する機能も有する。また、指示部１０５は、通信網１６０を介して、銀行１４０にインセンティブ処理の結果行われる金銭の支払要求を送信する機能も有する。
【００３４】
電力取得部１０６は、メガバッテリー１１０から、メガバッテリー１１０が備える各電池セルについて、それぞれの残余電力量を取得し、記憶部１０４の残余電力テーブル２０２を更新する機能を有する。
【００３５】
以上が、アグリゲーター１００の機能構成である。
【００３６】
図３は、各マンションの構成を示すブロック図である。各マンションは同様の構成を備えるものとし、ここでは、マンション１２０ａについて説明する。
【００３７】
マンション１２０ａは、各部屋に対応したスマートメーター群１２１と、共用コントローラ３０２と、サブバッテリー３０３と、ＨＥＭＳ１２４とを備える。なお、サブバッテリー１２３やＨＥＭＳ１２４については、マンションによっては備えていない場合もある。
【００３８】
スマートメーター群１２１の各スマートメーターは、マンション内の各部屋（世帯）に対応して設けられ、逐次、共用部コントローラ１２２に使用電力量を通知する機能を有する。
【００３９】
共用部コントローラ１２２は、マンション１２０ａ内の電源系統を制御する機能を有する。共用部コントローラ１２２は、スマートメーター群１２１から通知された使用電力量を受け、その総和を算出し、算出したマンション別総和使用電力量を、通信網１６０を介してアグリゲーター１００に通知する機能を有する。また、共用部コントローラ１２２は、通信網１６０を介して、アグリゲーター１００から受け付けた指示に従って、サブバッテリー１２３の放電を実行する機能や、ＨＥＭＳ１２４に電力抑制制御を実行させる機能を有する。
【００４０】
サブバッテリー１２３は、マンション１２０ａに配された蓄電池であり、共用部コントローラ１２２からの指示に従って、マンション１２０ａの各部屋に電力を供給する機能を有する。サブバッテリー１２３は、放電を行っていない時には配電網１５０から電力を供給されて充電を実行する機能も有する。
【００４１】
ＨＥＭＳ１２４は、共用部コントローラ１２２からの指示に従って、マンション１２０ａの各部屋の電化製品の制御を実行する機能を有し、使用電力量を抑制する方向での制御を実行する機能を有する。ＨＥＭＳとは、Home Energy Management Systemのことであり、近年では、ＨＥＭＳによる電化製品の制御手法については各種様々な技術が開示されている。したがって、ＨＥＭＳの詳細については省略する。なお、ＨＥＭＳとしては、例えば、特許文献２にその一例が開示されている。
【００４２】
なお、以降、マンション１２０ａ、１２０ｂ、１２０ｃの共用部コントローラ１２２を、説明の便宜上必要に応じて、それぞれ共用部コントローラ１２２ａ、３０２ｂ、３０２ｃと記載する。
【００４３】
以上が、マンションの構成である。
【００４４】
図４は、メガバッテリー１１０の機能構成を示すブロック図である。
【００４５】
メガバッテリー１１０は、制御部１１１と、二次電池１１２と、放電部１１３と、充電部１１４とを備える。
【００４６】
制御部１１１は、通信網１６０を介して、アグリゲーター１００からの指示に従って、各電池セルの放電および充電を制御する機能を有する。
【００４７】
また、制御部１１１は、逐次（例えば、１分毎）、各電池セル４０２ａ、４０２ｂ、４０２ｃの残余電力量を検出し、通信網１６０を介して、アグリゲーター１００に通知する機能も有する。なお、制御部１１１は、各電池セルを識別する識別子と、対応する残余電力量を対応付けて、どの残余電力量がどの電池セルのものであるかをアグリゲーター１００が区別可能なように通知する。
【００４８】
二次電池１１２は、電池セル４０２ａ、４０２ｂ、４０２ｃとから構成される。電池セル４０２ａはマンション１２０ａの、電池セル４０２ｂはマンション１２０ｂの、電池セル４０２ｃはマンション１２０ｃの所有する電池セルである。なお、正確には、各電池セルは、マンションのオーナーもしくは住人の所有となる。
【００４９】
放電部１１３は、配電網１５０に対して、二次電池１１２から供給された電力の放電を実行する機能を有する。
【００５０】
充電部１１４は、配電網１５０から供給された商用電力を用いて、二次電池１１２の各電池セルの充電を実行する機能を有する。充電部１１４は、放電部１１３が放電を実行していない場合であって、電池セルの残余電力量を所定の閾値を下回ったときに、残余電力量が所定の閾値を下回った電池セルの充電を実行する。
【００５１】
以上が、メガバッテリー１１０の構成である。
＜データ＞
ここから、アグリゲーター１００が活用するデータについて説明する。
【００５２】
図５は、電力制御テーブル２０１のデータ構成例を示す概念図である。
【００５３】
図５に示すように、電力制御テーブル２０１は、マンションＩＤ５０１と、電力閾値５０２と、電力賃貸先マンションＩＤ５０３と、サブバッテリー所有５０４と、ＨＥＭＳ所有５０５が対応付けられたデータである。
【００５４】
マンションＩＤ５０１は、各マンションをアグリゲーター１００が識別するための、識別子である。ここでは、理解しやすくするために、図１において、各マンションに対して割り振った符号を記載しているが、実際には、各マンションの共用部コントローラの機器番号あるいはＭＡＣアドレスなどを用いる。
【００５５】
電力閾値５０２は、マンションＩＤ５０１に対応するマンションに対して、設定されている使用電力量のピークカットを実現するために設けた値であり、ここでは、１分あたりの使用電力量に対する閾値（ｋＷ）を示している。ここでは、電力閾値５０２は、それぞれのマンションにおいて高圧一括受電方式で受電を行った場合に、電気料金の割り増しが発生することになる基準となる値よりも低く設定されている。
【００５６】
電力賃貸先マンションＩＤ５０３は、マンションＩＤに対応するマンションが、他のマンションが所有する電池セルから電力を借りることができる当該他のマンションを示す識別子である。電力賃貸先マンションＩＤ５０３は、ここではマンションＩＤ５０１と同様に、図１に示すマンションの符号を記載しているが、実際には、各マンションの共用部コントローラの機器番号あるいはＭＡＣアドレスなどを用いる。
【００５７】
サブバッテリー所有５０４は、マンションＩＤ５０１に対応するマンションがサブバッテリーを有しているか否かを示す情報である。図５においては、サブバッテリーを有している場合に「有」、サブバッテリーを有してない場合に「無」と記載しているが、実際には、「１（サブバッテリー有り）」、「０（サブバッテリー無し）」の２値で管理される。
【００５８】
ＨＥＭＳ所有５０５は、マンションＩＤ５０１に対応するマンションがＨＥＭＳを導入しているか否かを示す情報である。図５においては、ＨＥＭＳを導入している場合に「有」、ＨＥＭＳを導入してない場合に「無」と記載しているが、実際には、「１（ＨＥＭＳ有り）」、「０（ＨＥＭＳ無し）」の２値で管理される。
【００５９】
図５によれば、マンション１２０ａにおいて、使用電力量のピークとなる電力閾値は、２２０ｋＷであり、マンション１２０ａが所有している電池セル４０２ａからの放電で使用電力量を電力閾値以下にすることができない場合に電力を借りる賃貸先のマンションは、マンション１２０ｂ、１２０ｃとなっている。また、マンション１２０ａは、サブバッテリーを有しているものの、ＨＥＭＳは導入していない。
【００６０】
図６は、残余電力テーブル２０２のデータ構成例を示す概念図である。
【００６１】
残余電力テーブル２０２は、マンションＩＤ６０１と、電池セルＩＤ６０２と、残余電力量６０３とが対応付けられたデータである。
【００６２】
マンションＩＤ６０１は、マンションＩＤ５０１と同様に、各マンションをアグリゲーター１００が識別するための、識別子である。ここでは、理解しやすくするために、図１において、各マンションに対して割り振った符号を記載しているが、実際には、各マンションの共用部コントローラの機器番号あるいはＭＡＣアドレスなどを用いる。
【００６３】
電池セルＩＤ６０２は、マンションＩＤ６０１に対応するマンションが所有するメガバッテリー１１０の電池セルを識別するための識別子である。ここでは、理解しやすくするために、図４において、各電池セルに対して割り振った符号を記載しているが、実際には、電池セルに対して設定されているセル番号ないしは、割り振っている何らかの識別子を用いる。
【００６４】
残余電力量６０３は、マンションＩＤ６０１に対応するマンションが所有する電池セルの残余電力量（ｋＷ）を示すものである。残余電力量は電池残量と呼称されることもある。
【００６５】
図６によれば、マンション１２０ａが所有する電池セルは、電池セル４０２ａであり、その残余電力量は、４３５ｋＷとなっている。
＜動作＞
次に、本実施の形態に係る蓄電池制御システムの動作を図７〜図９に示すフローチャートを用いて説明する。
【００６６】
図７、図８は、蓄電池制御システムにおける判定処理および蓄電池制御処理における動作を示すフローチャートであり、図９は、蓄電池制御処理におけるインセンティブ処理の詳細動作を示すフローチャートである。
【００６７】
まず、アグリゲーター１００の電力取得部１０６は、メガバッテリー１１０から、各電池セル４０２ａ、４０２ｂ、４０２ｃの残余電力量を取得する（ステップＳ７０１）。電力取得部１０６は、各電池セル４０２ａ、４０２ｂ、４０２ｃの残余電力量を取得すると、残余電力テーブル２０２の、各マンションＩＤ６０１に対応する残余電力量６０３を更新する。
【００６８】
次に、アグリゲーター１００の使用電力量取得部１０１は、各マンション１２０ａ、１２０ｂ、１２０ｃの共用部コントローラ１２２ａ、３０２ｂ、３０２ｃから、それぞれのマンションで使用している使用電力量を取得し、制御部１０２に伝達する（ステップＳ７０２）。
【００６９】
各マンション１２０ａ、１２０ｂ、１２０ｃの使用電力量が伝達されると、制御部１０２の判定部１０３は、使用電力量の総和（総使用電力量）を算出する。また、判定部１０３は、電力制御テーブル２０１の電力閾値５０２の総和（総和電力閾値）を算出する。そして、判定部１０３は、総使用電力量が総和電力閾値を超えているか否かを判定する（ステップＳ７０３）。
【００７０】
総使用電力量が総和電力閾値を超えていない場合には（ステップＳ７０３のＮＯ）、処理を終了する。
【００７１】
総使用電力量が総和電力閾値を超えている場合には（ステップＳ７０３のＹＥＳ）、判定部１０３は、各マンションの使用電力量と、それぞれに設定されている電力閾値とを比較して、マンションの使用電力量がその電力閾値を超えているかを判定し、使用電力量が高いマンションを特定する（ステップＳ７０４）。即ち、判定部１０３は、各マンションについて、電力制御テーブル２０１を参照して、マンションＩＤに対応する電力閾値を取得し、対応する使用電力量とを比較する。これにより、判定部１０３は、電力閾値を超えて電力を使用しているマンションを特定する。判定部１０３は、特定したマンションのマンションＩＤと、総使用電力量が総和電力閾値を超えている旨とを制御部１０２に伝達する。
【００７２】
すると、制御部１０２は、残余電力テーブル２０２を参照し、通知されたマンションＩＤ６０１に対応する電池セルＩＤ６０２を特定する。そして、制御部１０２は、特定した電池セルからの放電を指示するように指示部１０５に依頼し、指示部１０５は、メガバッテリー１１０に対して、制御部１０２により指定された電池セルの放電を指示する（ステップＳ７０５）。当該指示を受けて、メガバッテリー１１０の制御部１１１は、指定されている電池セルの放電指示を行い、放電部１１３は電池セルから放電された電力を配電網１５０に放電する。
【００７３】
制御部１０２は、電池セルの放電を指示すると共に、そのときの当該電池セルの残余電力量を、残余電力テーブル２０２の残余電力量６０３を参照して取得する。そして、制御部１０２は、総使用電力量から放電した電力の総計を減算した予測総使用電力量を算出する。そして、制御部１０２の判定部１０３は、予測総使用電力量が総和電力閾値を下回るかを判定する（ステップＳ７０６）。
【００７４】
予測総使用電力量が総和電力閾値を下回ると判定された場合には（ステップＳ７０６のＹＥＳ）、制御部１０２は、インセンティブ処理を行って（ステップＳ７０７）終了する。インセンティブ処理の詳細については、後述する。
【００７５】
予測総使用電力量が総和電力閾値を下回っていない場合には（ステップＳ７０６のＮＯ）、制御部１０２は、電力制御テーブル２０１の電力賃貸先マンションＩＤ５０３を参照して、ステップＳ７０４で特定されたマンションが電力を借りることができるマンションがあるか否かを判定する（ステップＳ７０８）。
【００７６】
電力を借りることができるマンションがある場合には（ステップＳ７０８のＹＥＳ）、制御部１０２は、次に、ステップＳ７０４で特定されたマンションが電力を賃貸可能なマンション全てから、電力を借りたか否かを判定する（ステップＳ７０９）。
【００７７】
電力を賃貸可能なマンション全てから、電力を借りていない場合には（ステップＳ７０９のＮＯ）、制御部１０２は、まだ電力を借りていないマンションに対応する電池セルの放電指示を実行し（ステップＳ７１０）、ステップＳ７０６に戻る。この場合ステップＳ７０６においては、予測総使用電力量は、総使用電力量から、ステップＳ７０５およびステップＳ７１０における放電で放電された電力量を減算した値になる。
【００７８】
電力を借りるマンションがない場合（ステップＳ７０８のＮＯ）や、ステップＳ７０４で特定されたマンションが電力を借りることができる全てのマンションから借りている場合（ステップＳ７０９のＹＥＳ）には、図８のステップＳ７１１に移行する。
【００７９】
制御部１０２は、ステップＳ７０４で特定されたマンションがサブバッテリーを有しているか否かを、電力制御テーブル２０１のサブバッテリー所有５０４を参照して、判定する（ステップＳ７１１）。
【００８０】
サブバッテリーがある場合には（ステップＳ７１１）、制御部１０２は、そのサブバッテリーに対して既に放電指示を実行しているか否かを、過去ログを用いて判定する（ステップＳ７１２）。
【００８１】
サブバッテリーに放電指示を行っていない場合に（ステップＳ７１２のＮＯ）、制御部１０２は、当該サブバッテリーに対する放電指示を送信するよう指示部１０５に依頼し、指示部１０５は、通信網１６０を介して、ステップＳ７０４で特定されたマンションの共用部コントローラ１２２に、サブバッテリーの放電を指示する（ステップＳ７１３）。当該指示を受けた共用部コントローラ１２２は、サブバッテリー１２３の放電を実行する。
【００８２】
サブバッテリー１２３による放電の指示を実行した後、共用部コントローラ１２２は、使用電力量の再計算を行い、通信網１６０を介して、アグリゲーター１００に伝達する。アグリゲーター１００の使用電力量取得部１０１は、受信した使用電力量を制御部１０２に伝達し、制御部１０２は、総使用電力量を再計算し（ステップＳ７１４）、図７のステップＳ７０６に戻る。
【００８３】
マンションにサブバッテリー１２３がない場合（ステップＳ７１１のＮＯ）や、サブバッテリー１２３に既に放電の指示を行っている場合（ステップＳ７１２のＹＥＳ）には、制御部１０２は、ステップＳ７０４で特定されたマンションにＨＥＭＳが導入されているか否かを、電力制御テーブル２０１のＨＥＭＳ所有５０５を参照して判定する（ステップＳ７１５）。
【００８４】
ＨＥＭＳが導入されている場合には（ステップＳ７１５のＹＥＳ）、制御部１０２は、既に当該ＨＥＭＳに電力を抑制する制御を指示しているか否かを、過去ログを用いて判定する（ステップＳ７１６）。
【００８５】
まだ、ＨＥＭＳに電力を抑制する制御を指示していない場合には（ステップＳ７１６のＮＯ）、制御部１０２は、ステップＳ７０４において、特定されたマンションのＨＥＭＳに対して、電力を抑制する指示を出すよう指示部１０５に依頼し、指示部１０５は、電力を抑制する指示を、通信網１６０を介してマンションの共用部コントローラ１２２に送信する（ステップＳ７１７）。これを受けて、マンションの共用部コントローラ１２２は、ＨＥＭＳ１２４に対して、電力を抑制する制御を実行するように指示する。
【００８６】
ＨＥＭＳ１２４による電力抑制制御の後、共用部コントローラ１２２は、使用電力量を再計算し、通信網１６０を介して、アグリゲーター１００に送信する。アグリゲーター１００の使用電力量取得部１０１は、受信した使用電力量を制御部１０２に伝達し、制御部１０２は、総使用電力量を再計算し（ステップＳ７１８）、図７のステップＳ７０６に戻る。
【００８７】
マンションにＨＥＭＳが導入されていない場合や（ステップＳ７１５のＮＯ）、ＨＥＭＳに既に電力を抑制する制御を指示している場合には（ステップＳ７１６のＹＥＳ）、図７のステップＳ７０７に戻る。
【００８８】
ここから、図７のステップＳ７０７におけるインセンティブ処理の詳細について、図９に示すフローチャートを用いて説明する。
【００８９】
まず、制御部１０２は、各マンションについて、その使用電力量を計測する（ステップＳ９０１）。
【００９０】
各マンションの使用電力量を計算すると、制御部１０２は、マンションが自身で使用している使用電力量のピークカットを行うために、自らで所有しているメガバッテリー１１０の電池セルから放電した放電量（図７のステップＳ７０５で放電した放電量）を計測する（ステップＳ９０２）。
【００９１】
次に、制御部１０２は、各マンションが自身で使用している使用電力量のピークカットを行うために、他のマンションが所有している電池セルから放電してもらった放電量（図７のステップＳ７１０で放電した放電量）を計測する（ステップＳ９０３）。
【００９２】
次に、制御部１０２は、各マンションが他のマンションのピークカットのために、自らで所有するメガバッテリー１１０の電池セルから放電した放電量（図７のステップＳ７１０で放電した放電量）を計測する（ステップＳ９０４）。
【００９３】
そして、制御部１０２は、ステップＳ９０１〜ステップＳ９０４での放電量と、各ステップに対して予め定められている料金に基づく加減算を行って、各マンションのインセンティブを算出する。そして、制御部１０２は、各マンション毎に算出したインセンティブを付与するように指示し、指示部１０５は、通信網１６０を介して各マンションの口座に当該インセンティブの付与を実行するよう銀行１４０に依頼する。なお、基本的に、ステップＳ９０１およびＳ９０２における放電量に対して発生する料金は、電力会社１３０との契約に応じて定まり、ステップＳ９０３、Ｓ９０４における放電量に対して発生する料金は、マンション間の契約に応じて定まる。
【００９４】
なお、図７〜図９に示す動作は、繰り返し実行される。
【００９５】
では、一具体例を用いて、図７から図９における放電量とそれによって発生するインセンティブ処理について、図７から図９におけるステップと対応させながら説明する。
【００９６】
まず、各マンション１２０ａ、１２０ｂ、１２０ｃが所有する電池セル４０２ａ、４０２ｂ、４０２ｃの残余電力量は図６に示す通りであるとする。また、各マンション１２０ａ、１２０ｂ、１２０ｃに対して設定されている電量閾値は図５に示す通りであるとする。図５の場合、総和電力閾値は、５９０（２２０＋３００＋１７０）となる。
【００９７】
そして、図７のステップＳ７０２において制御部１０２が取得する各マンション１２０ａ、１２０ｂ、１２０ｃの使用電力量が、それぞれ、２１０ｋＷ、４８０ｋＷ、１３０ｋＷであったとする。すると、総使用電力量は、８２０ｋＷ（２１０＋４８０＋１３０）ｋＷとなる。すると、この総使用電力量８２０ｋＷは、総和電力閾値５９０ｋＷを超えていることになる（ステップＳ７０３のＹＥＳ）。このとき、各マンションの電力閾値との比較により、マンション１２０ｂの使用電力量４８０ｋＷは、マンション１２０ｂに対して設定されている電力閾値３００ｋＷを超えていることから、ステップＳ７０４で特定されるマンションは、マンション１２０ｂとなる。
【００９８】
すると、制御部１０２は、マンション１２０ｂの電池セル４０２ｂに対して放電指示を行い、メガバッテリー１１０は当該指示に従って放電を実行する（ステップＳ７０５）。
【００９９】
このとき、電池セル４０２の残余電力量は、図６から１２０ｋＷとなる。すると、予測総使用電力量は、７００ｋＷ（８２０−１２０）となる。この値は、総和電力閾値の５９０ｋＷを下回っていないので（ステップＳ７０６のＮＯ）、制御部１０２は、電力制御テーブル２０１を参照して、マンション１２０ｂが電力を借りることができるマンションとして、マンション１２０ａがあることを検出する（ステップＳ７０８のＹＥＳ）。
【０１００】
そして、制御部１０２は、マンション１２０ａが所有する電池セル４０２ａの放電指示を行う。この場合、１１０ｋＷ（７００−５９０）の放電指示を行えば、ピークカットを実現でき、電池セル４０２ａには、４３５ｋＷ残っていることから、電池セル４０２ａからの放電で、目標を達成できる（ステップＳ７０６のＹＥＳ）。
【０１０１】
この時、マンション１２０ｂは、ステップＳ７０５で電池セル４０２ｂから放電した１２０ｋＷ分（ステップＳ９０２の放電量）のインセンティブを電力会社１３０から受け取れるとともに、ステップＳ７１０で電池セル４０２ａから借りた電力量１１０ｋＷ分（ステップＳ９０３の放電量）のインセンティブをマンション１２０ａに支払うことになる。一方、マンション１２０ａは、マンション１２０ｂのために１１０ｋＷ（ステップＳ９０４の放電量）の電力の放電を行ったので、その分のインセンティブをマンション１２０ｂから受け取ることになる。
＜まとめ＞
上記実施の形態１に示す蓄電池制御システムは、マンションの住人達に以下のようなメリットを齎す。
【０１０２】
まず、マンション複数で、高圧一括受電方式による電力の供給を受けることで、ピークの目標値が上がることが見込めることから、ピークの到来自体が少なくなることが予想される。例えば、ある目標値に対して、マンション１２０ａが朝と夜の２回にピークが訪れるのに対し、マンション１２０ｂでは昼にのみ訪れるような場合、２つのマンションでの高圧一括受電方式だと目標値が高くなることが予想され、従って、ピークの到来が少なくなる可能性がある。
【０１０３】
一方で、ピークが発生したとしても、自身が保持しているメガバッテリー１１０の電池セルから配電網に放電を行うことで、見かけ上使用電力が目標値を超えていないように見せることができるため、ピークが訪れていないと判定され、料金の割り増しの発生を抑制することができる。
【０１０４】
そして、自身で所有している電池セルからの放電で足りなかった場合でも他のマンションの電池セルからの放電を依頼することで、同様に料金の割り増しの発生を抑制することができる。
＜実施の形態２＞
上記実施の形態１においては、メガバッテリーを所有する各マンションの使用電力量の総和が、総和電力閾値を超えているかを判定することとした。これは、複数のマンションを対象に高圧一括受電方式で、電力の供給を受けることを想定しているが、ここでは、各マンション単位で高圧一括受電方式による電力の供給を受けている場合であっても、実施の形態１と同様にピークカットを実現する手法について説明する。
【０１０５】
なお、本実施の形態２においては、実施の形態１と相異する点について詳細に述べることとし、その他の点については、実施の形態１と共通するものとして、説明を割愛する。
＜構成＞
実施の形態１においては、アグリゲーター１００の判定部１０３は、総使用電力量が、総和電力閾値を超えているか否かを判定することとしていたが、本実施の形態２においては、これを実行しない。
【０１０６】
また、制御部１０２は、マンション１２０ａ、１２０ｂ、１２０ｃのいずれかが使用している使用電力量が、それぞれに設定されている電力閾値５０２を超えている場合に、蓄電池制御処理を実行する。
【０１０７】
即ち、実施の形態２に係る蓄電池制御システムにおいて、実施の形態１と異なる点は、蓄電池制御処理のトリガである。
＜動作＞
実施の形態２に係る蓄電池制御システムの動作を、図１０、図１１のフローチャートに示す。図１０、図１１においては、図７、図８と共通する内容については、同じ符号を付している。
【０１０８】
実施の形態２に係る蓄電池制御システムでは、図７のステップＳ７０３〜Ｓ７０６の換わりに、図１０のステップＳ１００３〜Ｓ１００６を実行し、図８のステップＳ７１４、Ｓ７１８の換わりに、ステップＳ１０１４、Ｓ１０１８を実行する。
【０１０９】
アグリゲーター１００の使用電力量取得部１０１から各マンション１２０ａ、１２０ｂ、１２０ｃの使用電力量を伝達されると、判定部１０３は、各マンションの使用電力量が、それぞれの電力閾値５０２を超えているか否かを判定する（ステップＳ１００３）。
【０１１０】
いずれのマンションの使用電力量も、対応する電力閾値５０２を超えていない場合には（ステップＳ１００３のＮＯ）、処理を終了する。
【０１１１】
いずれかのマンションの使用電力量が、対応する電力閾値５０２を超えている場合には（ステップＳ１００３のＹＥＳ）、制御部１０２は、使用電療量が電力閾値５０２を超えていたマンションが所有する電池セルへの放電指示を指示部１０５に指示するよう伝達する。そして指示部１０５は、メガバッテリー１１０に当該電池セルの放電を指示し、メガバッテリー１１０は、この指示に従って、対応する電池セルの放電を実行し、放電部１１３が配電網１５０に放電する（ステップＳ１００５）。
【０１１２】
そして、使用電力量が電力閾値５０２を超えていたマンションについて、対応する電池セルから放電した放電量を使用電力量から減算した値である予測使用電力量が、電力閾値５０２を下回ったか否かを判定し（ステップＳ１００６）、当該判定結果に従って以降の処理を実行する。
【０１１３】
また、ステップＳ７１４、Ｓ７１８の換わりに実行するステップＳ１０１４、１０１８においては、総使用電力量を取得する必要がないことから、実施の形態２においては、ステップＳ１００３において使用電力量が電力閾値５０２を超えると判定されたマンションについての、その時点での使用電力量を取得する。
【０１１４】
この構成によって、実施の形態２に係る蓄電池制御システムは、複数のマンションでメガバッテリーを共有しつつ、各マンション単位で、個別に高圧一括受電方式で電力の供給を受けている場合に、各マンションでの電気料金の低減に貢献することができる。
＜実施の形態３＞
上記実施の形態１と実施の形態２それぞれで、電力のピークカットの手法の一例を説明した。本実施の形態３においては、更なるピークカットの手法の一例を説明する。
【０１１５】
実施の形態３に係る蓄電池制御システムでは、上記実施の形態１、２において、マンション単位で行っていた電力の供給制御を、コミュニティ単位で実行する。本実施の形態３においてコミュニティとは、上記実施の形態１、２に示したような、メガバッテリー１１０を区分所有する１つの単位のことであり、１以上の需要素（家庭やマンションなど電力の供給を受けるもの）と、その１以上の需要素と対になる１以上のメガバッテリーとを含む。
【０１１６】
上記実施の形態１や２では、１つのコミュニティに属する複数の需要素（マンション）における電力のピークカットの例を説明したのに対し、本実施の形態３においては、複数のコミュニティで、複数の需要素からなるコミュニティ単位でのピークカットを実現する例を説明する。
【０１１７】
図１２は、実施の形態３に係る蓄電池制御システムの構成を示すシステム図である。図１２において、図１と共通する構成については、同一の符号を付し、説明を簡略化あるいは省略することとする。
【０１１８】
図１２に示すように、蓄電池制御システムは、コミュニティ１２００ａ、１２００ｂ、１２００ｃと、コミュニティ対応メガバッテリー１２１０と、コントロールサーバ１２２０とからなり、各コミュニティとコントロールサーバ１２２０は、通信網１６０を介して接続されている。また、各コミュニティは、配電網１５０にも接続され、各コミュニティに属する需要素は、配電網１５０に接続されている電力会社１３０から商用電力の供給を受ける。また、コミュニティ対応メガバッテリー１２１０も配電網１５０に接続されている。
【０１１９】
各コミュニティは、実施の形態１や２に示したように、通信網１６０に接続されたアグリゲーター１００と、配電網１５０に接続されたメガバッテリー１１０と、当該配電網１５０に接続された需要素群１２０１（マンションや家、工場など）とを含む。図１２においては、図の見易さを優先してコミュニティ内と配電網１５０や通信網１６０との明確な接続関係は示していないが、各コミュニティを構成する構成要素それぞれは、図１に示す接続関係を有するものとする。また、同様に図１２には示していないが、コミュニティ１２００ｂ、コミュニティ１２００ｃも、コミュニティ１２００ａと同様の構成を備えるものとする。なお、ここではコミュニティと呼称しているが、これは、便宜上の名称であり、例えば、エリア（電力を必要とする家屋等が存在する区域）で管理することとしてもよい。コミュニティは、１以上の電力を必要とする需要素、メガバッテリー、アグリゲーターの集合であればよい。
【０１２０】
コミュニティ対応メガバッテリー１２１０は、大容量の蓄電池であり、通信網１６０を介してコントロールサーバ１２２０と接続されている。また、コミュニティ対応メガバッテリー１２１０は、配電網１５０にも接続され、配電網１５０への放電、配電網１５０からの受電を行う。コミュニティ対応メガバッテリー１２１０は、上記実施の形態１、２に示したメガバッテリー１１０と同様の構成を有するが（図４参照）、図４に示したメガバッテリー１１０とは異なり、コミュニティ対応メガバッテリー１２１０の制御部（メガバッテリー１１０の制御部１１１に相当）は、コントロールサーバ１２２０からの指示に従って配電網１５０への放電、配電網１５０からの受電を行う。また、コミュニティ対応メガバッテリー１２１０の電池セルは、上記実施の形態１、２においてメガバッテリー１１０の各電池セルが各マンションによって所有されていたのに対し、本実施の形態３においては時間帯ごとに各コミュニティが使用可能な電力量の上限を定めて放電を実行するため、最低１つあればよい。コミュニティ対応メガバッテリー１２１０の電池セルは、配電網１５０からの受電により充電される。
【０１２１】
コントロールサーバ１２２０は、通信網１６０を介してコミュニティ対応メガバッテリー１２１０および各コミュニティと接続されている。コントロールサーバ１２２０は、上記実施の形態１、２に示した各マンションに対して設けられたメガバッテリー１１０を制御するアグリゲーター１００に相当する。即ち、コントロールサーバ１２２０は、コミュニティ対応メガバッテリー１２１０を制御するものであり、アグリゲーター１００が各マンションでの電力使用状況に応じた放電をメガバッテリー１１０に実行させていたのに対し、各コミュニティでの電力使用状況に応じた放電をコミュニティ対応メガバッテリー１２１０に実行させる機能を有する。
【０１２２】
図１３は、コントロールサーバ１２２０の機能構成を示すブロック図である。図１３に示すようにコントロールサーバ１２２０は、使用電力量取得部１３０１と、制御部１３０２と、記憶部１３０４と、指示部１３０５と、電力取得部１３０６と、計時部１３０７とを備える。
【０１２３】
使用電力量取得部１３０１は、各コミュニティで使用している電力量の総和を取得し、制御部１３０２に伝達する機能を有する。各コミュニティにはアグリゲーター１００が配されており、当該アグリゲーター１００がコミュニティ内で使用されている総使用電力量を取得しているので、使用電力量取得部１３０１は、アグリゲーター１００からコミュニティで使用されている総使用電力量を取得する。
【０１２４】
コントロールサーバ１２２０の制御部１３０２は、上記実施の形態１、２に示すアグリゲーター１００が有する機能に加え、時間毎に変化する使用可能な電力量に基づく制御を実行する機能を有する。即ち、上記実施の形態１、２においては、マンション毎に電池セルを保有するという実施例を示したが、本実施の形態３では、時間単位での区分所有という形態を示す。即ち、各コミュニティで一時に使用できる電力量（電力閾値を超えた場合にコミュニティ対応メガバッテリー１２１０から放電できる放電量）が定められている場合について説明する。
【０１２５】
コントロールサーバ１２２０の判定部１３０３が、コミュニティでの使用電力量が、そのコミュニティに対して設定されている閾値を超えた場合には、制御部１３０２は、後述する電力量テーブル１３４２と計時部１３０７から伝達された現在時刻に基づき、当該現在時刻においてコミュニティ対応メガバッテリー１２１０で使用可能な電力量を特定し、特定した電力量を上限とする放電をコミュニティ対応メガバッテリー１２１０に指示するよう指示部１３０５に伝達する。
【０１２６】
記憶部１３０４は、コントロールサーバ１２２０が動作するために必要な各種プログラムおよびデータを記憶する機能を有し、ハードディスク装置や各種メモリ等の記録媒体により実現される。記憶部１３０４は、判定部１３０３および制御部１３０２により判定処理や蓄電池制御処理のために参照される電力制御テーブル１３４１と、各コミュニティが使用可能な電力量を時間帯ごとに示す電力量テーブル１３４２とを保持している。電力制御テーブル１３４１と電力量テーブル１３４２の詳細については後述する。
【０１２７】
指示部１３０５は、制御部１３０２から通知された内容に従って、通信網１６０を介して、コミュニティ対応メガバッテリー１３１０に対して、放電指示を送信する機能を有する。また、指示部１３０５は、制御部１３０２から通知された内容に従って、通信網１６０を介して、銀行１４０にコミュニティ間のインセンティブ処理の結果行われる金銭の支払要求を送信する機能も有する。
【０１２８】
電力取得部１３０６は、コミュニティ対応メガバッテリー１３１０の電池残量を取得する機能を有する。
【０１２９】
計時部１３０７は、制御部１３０２に現在時刻を逐次伝達する機能を有する。
【０１３０】
これにより、コントロールサーバ１２２０は、コミュニティを単位とする上記実施の形態１や２に示したような電力のピークカットを実現できる。
＜データ＞
本実施の形態３において、記憶部１３０４に格納される電力制御テーブル１３４１と、電力量テーブル１３４２とについて説明する。
【０１３１】
電力制御テーブル１３４１は、図示しないが、実施の形態１、図５に示した電力制御部２０１と略同等の構成を備える。ただし、マンションＩＤ５０１は、コミュニティＩＤになり、電力賃貸先マンションＩＤ５０３は、電力賃貸先コミュニティＩＤになる。また、電力制御テーブル１３４１においてはサブバッテリー所有５０４とＨＥＭＳ所有５０５は含まない構成となる。したがって、電力制御テーブル１３４１は、コミュニティＩＤと、そのコミュニティに対して設定されている電力閾値と、そのコミュニティが電力を賃貸できるコミュニティを特定する電力賃貸先コミュニティＩＤが対応づけられた情報である。
【０１３２】
コントロールサーバ１２２０の記憶部１３０４は、各コミュニティについて、単位時間毎に使用可能な電力量を定めた制御テーブルを保持している。図１４は、その制御テーブルの構成例を示したデータ概念図である。
【０１３３】
図１４に示すように、制御テーブルは、各コミュニティを特定するためのコミュニティＩＤ１４０１と、各コミュニティについての一日の各時間帯に使用可能な電力量を示す使用可能電力量１４０２とが対応付けられた情報である。
【０１３４】
コミュニティＩＤ１４０１は、各コミュニティをコントロールサーバ１２２０が識別するための、識別子である。コミュニティＩＤは、図５でいえば、マンションＩＤに対応するものである。
【０１３５】
使用可能電力量１４０２は、図１４に示す１日の各時間帯における、各コミュニティに対して電力閾値を超えてコミュニティ対応メガバッテリー１２１０から放電させることができる電力量を示している。例えば、図１４の例では、１時〜１時５９分までのコミュニティ１２００ａ、１２００ｂ、１２００ｃそれぞれの使用可能電力量１４０２は、１００ＭＷ、２００ＭＷ、３０ＭＷに設定されている。つまり、例えば、コミュニティ１２００ａにおいて、１時〜１時５９分の間に使用された総使用電力が、コミュニティ１２００ａに対して定められた電力閾値を超えた場合には、コントロールサーバ１２２０は、１００ＭＷまでであればコミュニティ対応メガバッテリー１２１０から放電させることができることを意味している。なお、この数値は、あくまで一例であり、各コミュニティの規模に応じた値が設定される。
【０１３６】
コントロールサーバ１２２０は、図１３に示す電力量テーブル１３４２（図１４のテーブルに相当）を用いて、１時間単位で変動する使用可能な電力量に従って、図１５に示す制御を実行する。
＜動作＞
図１５は、本実施の形態３に係るコントロールサーバ１２２０によるコミュニティ対応メガバッテリー１２１０の制御処理を示すフローチャートである。なお、コントロールサーバ１２２０の動作については、ここでは実施の形態１に示したアグリゲーター１００の動作と同様の動作をするものとして、簡略化して記載する。なお、コントロールサーバ１２２０は、実施の形態１ではなく、実施の形態２に示したアグリゲーター１００の動作と同様の動作をするものであってもよいのはもちろんである。
【０１３７】
図１５に示すように、コントロールサーバ１２２０の使用電力量取得部１３０１は、各コミュニティのアグリゲーター１００からそれぞれのコミュニティで使用されている総使用電力量を取得する（ステップＳ１５０２）。
【０１３８】
判定部１３０３は、各コミュニティの使用電力量が伝達されると、計時部１３０７から通知された時刻に基づき、総使用電力量を算出する。そして、判定部１３０３は、総使用電力量と、総和電力閾値とを比較し、総使用電力量が総和電力閾値を超えているか否かを判定する（ステップＳ１５０３）。
【０１３９】
総使用電力量が総和電力閾値を超えていない場合には（ステップＳ１５０３のＮＯ）、処理を終了する。
【０１４０】
総使用電力量が総和電力閾値を超えている場合には（ステップＳ１５０３のＹＥＳ）、判定部１３０３は、各コミュニティの使用電力量と、それぞれに設定されている電力閾値とを比較して、コミュニティの使用電力量がその電力閾値を超えているかを判定し、使用電力量が高いコミュニティを特定する（ステップＳ１５０４）。即ち、判定部１３０３は、各コミュニティについて、電力制御テーブル１３４１を参照して、コミュニティＩＤに対応する電力閾値を取得し、対応する使用電力量と比較する。これにより、判定部１３０３は、電力閾値を超えて電力を使用しているコミュニティを特定する。判定部１３０３は、特定したコミュニティのコミュニティＩＤと、総使用電力量が総和電力閾値を超えている旨とを制御部１３０２に伝達する。
【０１４１】
すると、制御部１３０２は、伝達されたコミュニティＩＤ１４０１に対応する使用可能電力量１４０２を、計時部１３０７から伝達された現在時刻と電力量テーブル１３４２とを用いて特定する。そして、制御部１３０２は、特定した使用可能電力量を上限とする放電を指示するように指示部１３０５に依頼し、指示部１３０５は、コミュニティ対応メガバッテリー１２１０に対して、放電を指示する（ステップＳ１５０５）。当該指示を受けて、コミュニティ対応メガバッテリー１２１０の制御部は、指定されている電力量を上限として、電池セルから放電された電力を配電網１５０に放電する。
【０１４２】
制御部１３０２は、放電を指示すると共に、総使用電力量から、コミュニティ対応メガバッテリー１２１０が放電した電力の総計（放電前と放電後の電力量の差分値）を減算した予測総使用電力量を算出する。そして、制御部１３０２の判定部１３０３は、予測総使用電力量が総和電力閾値を下回るかを判定する（ステップＳ１５０６）。
【０１４３】
予測総使用電力量が総和電力閾値を下回ると判定された場合には（ステップＳ１５０６のＹＥＳ）、制御部１３０２は、インセンティブ処理を行って（ステップＳ１５０７）終了する。インセンティブ処理の詳細については、実施の形態１に示した図９のフローチャートに準ずるものとして説明を省略するが、図９においてマンションを対象にして算出していたのに対し、実施の形態３においてはコミュニティを対象にして算出することとなる。
【０１４４】
予測総使用電力量が総和電力閾値を下回っていない場合には（ステップＳ１５０６のＮＯ）、制御部１３０２は、電力制御テーブル１３４１の電力賃貸先コミュニティＩＤを参照して、ステップＳ１５０４で特定されたコミュニティが電力を借りることができるコミュニティがあるか否かを判定する（ステップＳ１５０８）。
【０１４５】
電力を借りることができるコミュニティがある場合には（ステップＳ１５０８のＹＥＳ）、制御部１３０２は、次に、ステップＳ１５０４で特定されたコミュニティが電力を賃貸可能なコミュニティ全てから、電力を借りたか否かを判定する（ステップＳ１５０９）。
【０１４６】
電力を賃貸可能なコミュニティ全てから、電力を借りていない場合には（ステップＳ１５０９のＮＯ）、制御部１３０２は、まだ電力を借りていないコミュニティが使用可能な電力量分を上限とする放電指示を実行し（ステップＳ１５１０）、ステップＳ１５０６に戻る。この場合ステップＳ１５０６においては、予測総使用電力量は、総使用電力量から、ステップＳ１５０５およびステップＳ１５１０における放電で放電された電力量を減算した値になる。
【０１４７】
電力を借りることができるコミュニティがない場合（ステップＳ１５０８のＮＯ）や、全コミュニティから借りた（ステップＳ１５０９のＹＥＳ）は、ステップＳ１５０７に移行する。
【０１４８】
これにより、コントロールサーバ１２２０は、アグリゲーター１００が制御した範囲よりも大規模な電力ピークカットを実行することができる。
【０１４９】
また、単位時間当たりで使用可能な電力量を定めることで、より流動的な制御を実現できる。これによって、蓄電池制御システムを使用するユーザにとって、より負担の少なく、利便性の高い蓄電池制御システムを提供することができる。
【０１５０】
なお、本実施の形態３では詳細は説明しないが、各コミュニティのアグリゲーター１００は、それぞれのコミュニティに属する需要素群で使用される電力量に応じて、上記実施の形態１、２で説明したような、それぞれのコミュニティで共有されるメガバッテリー１１０の制御を実行する。
＜変形例＞
上記実施の形態に従って、本発明に係る蓄電池制御システムについて説明してきたが、本発明はこれに限られるものではない。以下、本発明の思想として含まれる各種変形例について説明する。
【０１５１】
（１）上記実施の形態においては、メガバッテリー１１０が電力を供給する供給先を配電網１５０としているが、これはその限りではない。商用電力の事業主である電力会社１３０に直接渡してもよいし、あるいは、各マンション１２０ａ、１２０ｂ、１２０ｃそれぞれに直接に供給することとしてもよい。配電網１５０や電力会社１３０に直接渡す場合には、見かけ上ピークカットが実現できることになり、電力会社１３０における契約の形態によっては電気料金を低減できる。また、メガバッテリー１１０から直接各マンション１２０ａ、１２０ｂ、１２０ｃに電力を供給した場合には、この電力を優先的に使用することで、使用する商用電力量を低減できるので、実際にピークカットが実現でき、電気料金を低減できる。
【０１５２】
また、各マンションにおいては、メガバッテリー１１０から直接電力の供給を受ける場合には、使用する電力量について、商用電力と、メガバッテリー１１０からの電力とで、個別に検出するようにしてもよい。こうすることで、例えば、電気料金の算出の補助に貢献することができる。
【０１５３】
（２）上記実施の形態においては、メガバッテリー１１０を区分所有する手法として、各マンション１２０ａ、１２０ｂ、１２０ｃは、メガバッテリー１１０内の１つの電池セル４０２ａ、４０２ｂ、４０２ｃをそれぞれ所有して使用する形態を示した。しかし、各マンションが所有する電池セルの個数は１つに限定されるものではなく、複数所有してもよい。また、マンション毎で所有する電池セルの個数が異なっていてもよい。
【０１５４】
また、上記実施の形態においては、マンションが電池セルを所有すると記載したが、これは、所有ではなく、賃貸という形であってもよく、電池セルを使用する権利を有するという形態であってもよい。例えば、メガバッテリー１１０を賃貸する事業を行う事業主に対して、金銭契約により、メガバッテリー１１０内の電池セルを使用する権利を得ていることとしてもよい。
【０１５５】
（３）上記実施の形態においては、メガバッテリー１１０を区分所有する手法として、各マンション１２０ａ、１２０ｂ、１２０ｃは、メガバッテリー１１０内の電池セルを所有していることとした。しかし、これは電池セルを所有という形式をとらなくてもよい。例えば、メガバッテリーにおける電力について、単位時間あたりに使用可能な電力量をマンション毎に設定しておく方式をとってもよい。この場合、電池セルを所有する場合よりも流動的な供給電力量の設定が可能になる。
【０１５６】
（４）上記実施の形態においては、インセンティブとして、マンションの住人が、電力を供給した側のマンションの住人に料金を支払うこととした。しかし、これは、金銭そのものである必要はなく、インセンティブとしては、電力を供給した側のマンションに対して電力を供給（借りた分の電力量を、商用電力ないしメガバッテリーの電池セルから供給）してもよいし、あるいは何らかの他の商品を購入可能なポイントや、物品、電力会社１３０から要求される電気料金の値下げなどといった方式をとってもよい。
【０１５７】
（５）上記実施の形態においては、メガバッテリー１１０を所有し、メガバッテリー１１０の電力の放電による恩恵にあずかれるものとしてマンションを例に説明したが、これはマンションである必要なく、電力が必要な施設であればどのような形態をとっていてもよい。例えば、マンションではなく、一般家庭複数で所有する形態であってもよいし、複数の工場が所有する形態であってもよいし、それらが組み合わさった形態などであってもよい。電力を必要とする施設複数でメガバッテリー１１０を所有する形態であればよい。
【０１５８】
（６）上記実施の形態においては、アグリゲーター１００は、メガバッテリー１１０やマンション１２０ａ、１２０ｂ、１２０ｃとは別個に設けるように構成した例を示した。しかし、これはその限りではなく、アグリゲーター１００は、上記実施の形態で示した機能を果たすのであれば、メガバッテリー１１０内に設けられてもよいし、あるいは、マンション１２０ａの共用部コントローラ１２２に設けられることとしてもよい。
【０１５９】
（７）上記実施の形態１においては、判定部１０３は、各マンションで使用している電力の総和が閾値を超えたか否かに応じて、上述の制御を実行することとした。そして、閾値として、高圧一括受電における電気料金の支払いにおいて、ピークとなる値を予め取得し、これよりも低く設定することとしている。これによって、ピークに達する前に、使用している電力の（見かけ上の）抑制を行って、電気料金の抑制を狙ったものであるが、ピークカットを実現できるのであれば、閾値による判定以外の手法を用いてもよい。
【０１６０】
例えば、使用電力量の総和のログを残しておき、これらの総和のログから、使用電力量の推移についての二次関数を算出し、それに基づき、上述のピークとなる値に一定以上近づいた場合に、即ち、使用電力量の予測演算を行ってメガバッテリー１１０に放電させるというような構成をとってもよい。
【０１６１】
（８）上記実施の形態においては、メガバッテリーの電力放電が、他のマンションの保持する電池セルからも放電させても足りない場合に、ＨＥＭＳによる電力抑制制御を実行することとした。しかし、ＨＥＭＳによる電力抑制制御は、結果的にピークカットが実現できるのであれば、このタイミングである必要はない。例えば、ＨＥＭＳによる電力抑制制御は、マンションで使用される電力量が、そのマンションに設定されている電力閾値５０２を超えた時点で、先に電力抑制制御を行ってから、それでもなお、電力が足りない（ピークカットに至らない）場合に、メガバッテリー１１０に放電を実行させることとしてもよい。あるいは、対応する電池セルからの放電を実行させて、なお、電力が足りない場合に、ＨＥＭＳによる電力抑制制御を行い、それでも、なお、電力が足りない場合に、他のマンションの電池セルの電力を借りるという形式をとってもよい。
【０１６２】
マンションに設置されているサブバッテリーからの放電についても同様のことが言える。
【０１６３】
即ち、図７、図８のフローチャートにおいて、ステップＳ７０８、Ｓ７０９、Ｓ７１０を第１放電処理、ステップＳ７１１、Ｓ７１２、Ｓ７１３、Ｓ７１４を第２放電処理、ステップＳ７１５、Ｓ７１６、Ｓ７１７、Ｓ７１８を第３放電処理とした場合、第１放電処理、第２放電処理、第３放電処理の実行順序は、順不同であってよく、例えば、第２放電処理、第３放電処理、第１放電処理の順に処理してもよいし、あるいは、第１放電処理、第３放電処理、第２放電処理といった処理順序であってもよい。
【０１６４】
（９）上記実施の形態においては、複数のマンションの使用電力量が、そのマンションに対して設定されている電力閾値を超えている場合について詳細には記載していないが、この場合には、マンション毎に、優先度を設定して、優先度の高いものから、図７〜図９に示した処理を実行する構成とすればよい。あるいは、電力閾値を超えたマンションについて、それぞれの電池セルからの放電を行った後に、各マンションについて、優先度に従った電力の賃貸処理を行う構成とすればよい。
【０１６５】
（１０）上記実施の形態においては、話を簡単にするために、各マンションに設けたマンション全体での電力使用量を検出するスマートメーターを設けて、アグリゲーター１００が、その値を読み取って閾値との比較を行うこととした。これ以外にも以下のような構成をとってもよい。
【０１６６】
即ち、通常スマートメーターは、各マンションの各部屋に対して設けられることから、アグリゲーター１００は、各部屋のスマートメーターの電力使用量を取得する構成としてもよい。この場合、アグリゲーター１００は、各部屋のスマートメーターのＩＤ等を各マンション毎に対応付けたテーブルを保持し、各マンション毎に、それぞれのマンションに属する部屋の使用電力量を取得し、総和演算を実行して、各マンションの電力使用量を取得する。
【０１６７】
このような構成によっても、上記実施の形態に示した電力使用量の取得は実現できる。
【０１６８】
（１１）上記実施の形態１においては、総和電力閾値を、各マンションに対して設定されている電力閾値の総和であるとしている。しかし、これはその限りではなく、総和電力閾値は、各マンションに対して設定されている電力閾値の総和ではなく別途に予め値が設定される構成としてもよい。
【０１６９】
この場合、総和電力閾値の値によっては、総和使用電力量が、総和電力閾値を超えているのに、各マンションについてそれぞれの電力閾値を超えない場合も考えられる。この場合、ステップＳ７０４においては、電力閾値を超えるマンションを特定するのではなく、使用電力量が最も高いマンションを特定し、その特定したマンションについて、ステップＳ７０５以降の処理を実行すればよい。
【０１７０】
（１２）上記実施の形態においては、アグリゲーター１００による電力制御を、各マンションの共用部コントローラから電力量の通知がくる１分単位で実行する構成としている。しかし、これは一例でしかなく、その他の時間でもよく、例えば、１０分単位、あるいは、１時間単位などであってもよいし、逆に短くして３０秒単位などであってもよい。当該時間の算出にあたっては、実際に蓄電池制御システムを運用してみて、適切な運用時間をシミュレートすればよい。
【０１７１】
（１３）上記実施の形態においては、高圧一括受電方式を想定して説明しているが、本発明に係る蓄電池制御システムは、高圧一括受電方式ではなく、低圧受電方式において用いることもできる。即ち、上記実施の形態においては、電力制御テーブル２０１の電力閾値を、高圧一括受電方式において定められるピークよりも低い値に設定しているが、低圧受電方式の場合には、ユーザが目標とする電気料金になるように電力閾値を算出して設定することで、同様の効果を得ることができる。
【０１７２】
（１４）上記実施の形態の図９に示すインセンティブ処理において、ステップＳ９０１〜Ｓ９０４で計測している電力量は、ステップＳ９０５のインセンティブの算出のための計測であり、その計測の順序は、図９に示した通りである必要はなく、ステップＳ９０１〜Ｓ９０４の処理は処理順序が入れ替わってもよいし、並列に実行されてもよい。
【０１７３】
（１５）上記実施の形態においては、毎回インセンティブ処理を実行することになるが、インセンティブ処理については、メガバッテリー１１０からの放電を行った場合に、そのログを残しておき、例えば１か月単位で処理を行って、インセンティブの付与を行うこととしてもよい。
【０１７４】
また、上記実施の形態においては、銀行にインセンティブの支払いを依頼することとしているが、これは、アグリゲーター１００にモニタ等の表示手段を備えさせ、算出したインセンティブの料金を表示することに留めてもよい。この場合には、インセンティブに係る料金は、例えば、マンションの住人間での手渡しで行うといった支払手法を選択することもできる。
【０１７５】
（１６）上記実施の形態においては、メガバッテリー１１０の充電部１１４は、配電網１５０から電力の供給を受けて、電池セルの充電を実行することとした。しかし、充電部１１４は、配電網１５０から電力の供給を受けるのではなく、メガバッテリー１１０自身が備える、あるいは、メガバッテリー１１０に接続されている発電装置から電力の供給を受けて電池セルの充電を行うこととしてもよい。例えば、メガバッテリー１１０は、ソーラーパネルを備え、当該ソーラーパネルを用いて生成される電力で、電池セルの充電を実行することとしてもよい。
【０１７６】
（１７）上記実施の形態１においては、記載していないが、以下のようにインセンティブを発生させてもよい。
【０１７７】
上記実施の形態１によれば、複数のマンションで高圧一括受電方式による電力の供給を受けている場合、複数のマンション全体では、使用している電力が平均化されると言える。つまり、マンション単体で高圧一括受電方式による電力の供給を受けている場合では、電力のピークが発生すると認識される電力使用量であっても、複数のマンションで高圧一括受電方式による電力の供給を受けている場合には、ピークが発生していないと認識される場合がある。
【０１７８】
例えば、マンション１２０ａでは、朝と夜の２回ピークが訪れるのに対し、マンション１２０ｂでは、昼に１回ピークが訪れるとする。それぞれ、マンション単体でみた場合には、マンション１２０ａでは、２回ピークが訪れたことによる電力料金の割り増しが、マンション１２０ｂでは、１回ピークが訪れたことによる電力料金の割り増しが発生する。これに対し、複数のマンションで高圧一括受電方式による電力の供給を受けることで、ピークを検出する閾値が高くなることが見込めることから、マンション１２０ａ、１２０ｂ双方においてはピークが発生していないと認識される。これは、別の見方をすれば、朝、夜においては、マンション１２０ｂが電力を使用していない分、マンション１２０ａが余分にマンション１２０ｂから電力を借りているともとれる。昼においては、この逆である。
【０１７９】
そこで、アグリゲーター１００の制御部１０２は、図７、図８に示したフローにおいて、ステップＳ７０３において総使用電力量が総和電力閾値を超えていないと判定された場合に（ステップＳ７０３のＮＯ）、更に、各マンションについて、それぞれの電力閾値５０２を超えているか否かを検出することとする。そして、制御部１０２は、電力閾値５０２を超えたマンションがあった場合に、その超えた電力量を算出し、超えた分の電力量を他のマンションから借りたものと見なし、その電力量に応じたインセンティブを、電力閾値５０２を超えたマンションから超えていないマンションに支払うインセンティブ処理を実行することとしてもよい。具体的には、例えば、電力閾値５０２を超えた使用電力量を、電力閾値を超えていないマンションの個数で、その超えた電力量を除算し、除算して得られた電力量に相当する料金（インセンティブ）を、電力閾値５０２を超えているマンションから超えていないマンションに対して支払うインセンティブ処理を実行することとしてもよい。なお、このとき、除算により算出された電力量をマンションで使用している電力使用量に加算して、当該マンションに設定されている電力閾値５０２を超えてしまう場合には、電力閾値５０２から使用電力量を減算した電力量分のインセンティブを当該マンションは受け取ることとしてもよい。
【０１８０】
また、本変形例（１７）に示すインセンティブ処理は、総使用電力量が総和電力閾値を超えている場合（ステップＳ７０３のＹＥＳ）であっても同様にインセンティブの支払いを発生させる構成としてよい。
【０１８１】
（１８）上記実施の形態においては、電力制御テーブル２０１について、予め記憶部１０４に記憶していることとしている。これらのデータはアグリゲーター１００のオペレータにより入力されることとしてもよいし、各マンションの共用部コントローラが電力閾値や、サブバッテリーの有無、ＨＥＭＳ導入の有無等に関する情報を保持ししている場合に、アグリゲーター１００が自動的に取得して、電力制御テーブル２０１を作成することとしてもよい。
【０１８２】
（１９）上記実施の形態１〜３において、メガバッテリー１１０、サブバッテリー３０３、コミュニティ対応メガバッテリー１２１０それぞれの容量の詳細については記載していないが、これらバッテリーは、運用上必要となる最低限の容量さえあればよい。つまり、例えば、メガバッテリー１１０は、上記実施の形態１の場合であれば、マンション１２０ａ、１２０ｂ、１２０ｃそれぞれが契約上保有する容量分だけあればよい。例えば、単位時間当たりで、マンション１２０ａが１２０ｋＷ、１２０ｂが８０ｋＷ、１２０ｃが２００ｋＷを使用可能であるとなっている場合には、バッテリーはその単位時間で、４００ｋＷ放電できるだけの容量があればよい。即ち、上記実施の形態においては、メガバッテリーという呼称を用いているが、これは単なる故障であり、ここでのメガは単位を表すものではないことに留意されたい。
【０１８３】
これは、実施の形態３のコミュニティ対応メガバッテリー１２１０についても同様であり、コミュニティ対応メガバッテリー１２１０は、各コミュニティが契約上使用可能となるワット数の総計分だけの容量があればよい。
【０１８４】
（２０）上記実施の形態３においては、各コミュニティがコミュニティ対応メガバッテリー１２１０の電力を使用できる量を時間毎に定め、コントロールサーバ１２２０が時間に応じた制御を実行する例を示している。
【０１８５】
しかし、時間毎に定めるのは、コミュニティ対応メガバッテリー１２１０の電力の使用量に限るものではなく、使用可能電力量と同様に、各コミュニティの電力閾値を時間帯毎に定めることとしてもよい。
【０１８６】
（２１）上記実施の形態３においては、サブバッテリーやＨＥＭＳは考慮しないこととしたが、コミュニティに属する電力を必要とする需要素が、サブバッテリーやＨＥＭＳを備えているような場合には、実施の形態１、２と同様に、これらを用いた電力のピークカットを行うこととしてもよい。
【０１８７】
（２２）上記実施の形態３においては、各コミュニティが使用可能なコミュニティ対応メガバッテリー１２１０の電力量を１時間単位で制御する例を示したが、この単位時間は、時間毎に使用可能な電力量を変動させることができる単位であればよく、１時間単位でなくともよい。例えば、３０分単位であってもよいし、２時間単位などであってもよい。
【０１８８】
（２３）上記実施の形態および各変形例に示した構成を適宜組み合わせることとしてもよい。
【０１８９】
（２４）上述の実施形態で示したアグリゲーターによるメガバッテリーの制御に係る動作、制御処理（図７、図８、図１０、図１１、図１５参照）やインセンティブ処理（図９参照）をアグリゲーター等のプロセッサ、及びそのプロセッサに接続された各種回路に実行させるためのプログラムコードからなる制御プログラムを、記録媒体に記録すること、又は各種通信路等を介して流通させ頒布させることもできる。このような記録媒体には、ＩＣカード、ハードディスク、光ディスク、フレキシブルディスク、ＲＯＭ等がある。流通、頒布された制御プログラムはプロセッサに読み出され得るメモリ等に格納されることにより利用に供され、そのプロセッサがその制御プログラムを実行することにより、実施形態で示したような各種機能が実現されるようになる。
【０１９０】
（２５）上記実施の形態で示した各機能構成要素は、その機能を実行する回路として実現されてもよいし、１又は複数のプロセッサによりプログラムを実行することで実現されてもよい。また、上記実施の形態のオーディオ処理装置は、ＩＣ（Integrated Circuit）、ＬＳＩ（Large Scale Integration）その他の集積回路のパッケージとして構成されるものとしてもよい。このパッケージは各種装置に組み込まれて利用に供され、これにより各種装置は、各実施形態で示したような各機能を実現するようになる。
【０１９１】
なお、各機能ブロックは典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
＜補足＞
ここで、本実施の形態に係る蓄電池制御方法、蓄電池制御システムの一実施形態と、その効果について説明する。
【０１９２】
（ａ）本発明に係る蓄電池制御方法は電力を必要とする複数の需要素（マンション１２０ａ、１２０ｂ、１２０ｃ、コミュニティ１２００ａ、１２００ｂ、１２００ｃ）向けに準備された蓄電池（メガバッテリー１１０、コミュニティ対応メガバッテリー１２１０）を制御する制御装置による蓄電池制御方法であって、各需要素で単位時間当たりに使用される電力量を検出する検出ステップ（使用電力量取得部１０１、ステップＳ７０２、ステップＳ１５０２）と、前記複数の需要素のうち、１以上の需要素で使用される電力量が予め定められた閾値を超えるか否かを判定する判定ステップ（判定部１０３、ステップＳ７０３、ステップＳ１００３、ステップＳ１５０３）と、前記判定ステップにおいて、前記１以上の需要素で使用される電力量が予め定められた閾値を超えていると判定された場合に、前記蓄電池に、前記１以上の需要素が属する配電網に電力を供給させる供給ステップ（制御部１０２、放電部１１３、ステップＳ７０５、ステップＳ１００５、ステップＳ１５０５）とを含むことを特徴としている。
【０１９３】
ここで、需要素とは、電力を必要とする施設であればどのようなものであってもよく、マンションやアパート、工場、一般家屋、あるいは、電力を必要とする要素の集合体であるコミュニティなど様々なものが該当する。
【０１９４】
また、需要素が属する配電網に電力を供給するとは、上記実施の形態で言えば、配電網１５０への電力の放電が該当するが、需要素に直接電力を供給する場合も含むこととする。
【０１９５】
この構成によれば、需要素で使用されている電力量がある閾値を超えている場合に、蓄電池から、電力を需要素が属している配電網に放電することで、使用している商用電力と蓄電池からの電力の放電による電力のトレードを行うことで、電気料金の低減を見込める。特に、高圧一括受電方式のように、電力のピークが訪れた回数に応じて電気料金の割り増しが発生する方式の場合に、大きな電気料金の低減効果が見込める。
【０１９６】
（ｂ）上記（ａ）に係る蓄電池制御方法において、前記閾値は、前記複数の需要素で使用される電力量の総量に対して設けられた統合閾値（実施の形態１の総和電力閾値や、＜変形例＞の（１１）に示す閾値）であり、前記判定ステップは、前記複数の需要素で使用される電力量の総量が前記統合閾値を超えるか否かを判定することとしてもよい。
【０１９７】
この構成によれば、複数の需要素で使用されている使用電力量の総和に対して、蓄電池からの放電が行われることになり、複数の集合住宅を一纏まりとして高圧一括受電方式で電力の供給を受ける場合に効果的な電気料金の低減を見込める。
【０１９８】
（ｃ）上記（ｂ）に係る蓄電池制御方法において、前記複数の需要素それぞれは、前記蓄電池の単位時間当たりに使用可能な電力量（実施の形態１のメガバッテリー１１０でマンションが所有している電池セルの容量や、＜変形例＞（２）、（３）参照）が定められており、前記判定ステップは、前記総量が前記一閾値を超えていると判定した場合に、更に、各需要素で使用される電力量が、それぞれの需要素に対して設定された個別閾値（電力閾値５０２）を超えるか否かを判定し、前記供給ステップは、使用している電力量が設定されている個別閾値を超えていると判定された需要素に対して設定されている前記使用可能な使用量で示される範囲内の電力を前記配電網に供給することとしてもよい。
【０１９９】
この構成によって、複数の需要素のうち、個別閾値を超えて電力を使用している需要素、即ち、通常よりも多くの電力を使用している需要素を特定し、その需要素に対して設定されている蓄電池の使用可能な電力量を用いて、使用している電力の（みかけ上の）低減を行うことで、電気料金の低減を見込める。
【０２００】
（ｄ）上記（ｃ）に係る蓄電池制御方法において、前記判定ステップは、更に、前記蓄電池から電力を供給された需要素が使用している電力量から前記蓄電池から供給された電力量を減算した値がなお、当該需要素に対して設定された個別閾値を超えるか否かを判定し、前記供給ステップは、前記蓄電池から電力を供給された後であって、前記蓄電池から電力を供給された需要素が使用している電力量から前記蓄電池から供給された電力量を減算した値がなお、当該需要素に対して設定された個別閾値を超えると判定された場合に、他の需要素に対して定められている使用可能な電力量から、前記配電網に電力を供給することとしてもよい。
【０２０１】
この構成によれば、電力を多く使用している需要素が使用可能な電力量から放電を行っても、目標値（個別閾値）以下にできない場合に、他の需要素から電力を借りることで、使用している電力の（見かけ上の）低減を行うことで、電気料金の低減を見込める。
【０２０２】
（ｅ）上記（ｂ）に係る蓄電池制御方法において、前記蓄電池制御方法は、更に、前記供給ステップが、電力閾値を超えている需要素のために、前記他の需要素に対して定められている使用可能な電気量から電力を供給した場合に、前記需要素から前記他の需要素に対してインセンティブを支払う支払ステップを含むこととしてもよい。
【０２０３】
この構成によれば、他の需要素は、インセンティブを受けることができるというメリットがあり、需要素間で、不満なく電力の貸し借りを実行できるようになる。
【０２０４】
（ｆ）上記（ｂ）に係る蓄電池制御方法において、前記複数の需要素の少なくとも一つは、当該需要素に対して設けられた小型蓄電池（サブバッテリー１２３）を備え、前記蓄電池から電力を供給された後に、前記総量から、前記蓄電池から供給された電力量を減算した値がなお、前記統合閾値を超えると判定された場合であって、使用している電力量が設定されている個別閾値を超えると判定された需要素が前記小型蓄電池を備えているときに、当該小型蓄電池からの放電を指示する制御ステップを更に含むこととしてもよい。
【０２０５】
この構成によれば、需要素が電力を多く使用しており、蓄電池で所有している区分からの放電を行っても統合閾値を下回らない場合に、小型蓄電池から放電を行うことで、その足りない分を補うことができる。従って、その場合に、電気料金の低減を見込める。
【０２０６】
（ｇ）上記（ｂ）に係る蓄電池制御方法において、前記複数の需要素の少なくとも一つは、当該需要素において使用される電気機器の制御を実行するＨＥＭＳ（Home Energy Management System）を備え、前記蓄電池から電力を供給された後に、前記総量から、前記大容量電池から供給された電力量を減算した値がなお、前記統合閾値を超えると判定された場合であって、使用している電力量が設定されている個別閾値を超えると判定された需要素が前記ＨＥＭＳを備えているときに、当該ＨＥＭＳに対して電気機器で使用されている電力を抑制する制御を指示する制御ステップを更に含むこととしてもよい。
【０２０７】
この構成によれば、需要素が電力を多く使用しており、蓄電池で所有している区分からの放電を行っても統合閾値を下回らない場合に、ＨＥＭＳによる電力抑制制御を行うことで、その足りない分を補うことができる。従って、その場合に、電気料金の低減を見込める。
【０２０８】
（ｈ）上記（ａ）に係る蓄電池制御方法において、前記閾値は、前記複数の需要素各々で使用される電力量に対して個別に設けられた個別閾値（電力閾値５０２）であり、前記判定ステップは、前記複数の需要素でそれぞれについて、使用されている電力量が、各需要素に対して設定されている前記個別閾値を超えるか否かを判定することとしてもよい。
【０２０９】
この構成によれば、集合住宅複数で蓄電池を共有していて、各集合住宅が個別に高圧一括受電方式での電力の供給を受けている場合に、電気料金の低減が見込める。
【０２１０】
（ｉ）上記（ａ）に係る蓄電池制御方法において、前記蓄電池制御方法は、更に、前記検出ステップが前記検出を行った時の時刻を取得する計時ステップと、前記計時ステップにより計時された時刻が対応する単位時間で前記蓄電池に放電させることができる電力量を取得する電力量取得ステップを含み、前記供給ステップは、前記電力量取得ステップにおいて取得された電力量を上限として前記蓄電池から前記配電網に電力を供給させることとしてもよい。
【０２１１】
この構成によれば、蓄電池の電池セル単位ではなく、時間単位で複数の需要素間での蓄電池の区分所有を実現でき、流動性の高い蓄電池制御方法を提供することができる。
【産業上の利用可能性】
【０２１２】
本発明に係る蓄電池制御システムは、複数世帯で蓄電池を共有する場合の一使用形態として、電力供給に貢献するアグリゲーターとして活用することができる。
【符号の説明】
【０２１３】
１００  アグリゲーター
１０１  使用電力取得部
１０２  制御部
１０３  判定部
１０４  記憶部
１０５  指示部
１０６  電力取得部
１１０  メガバッテリー
１１１  制御部
１１２  二次電池
１１３  放電部
１１４  充電部
１２０ａ、１２０ｂ、１２０ｃ  マンション
１２１  スマートメーター群
１２２  共用部コントローラ
１２３  サブバッテリー
１２４  ＨＥＭＳ
１３０  電力会社
１４０  銀行
１５０  配電網
１６０  通信網
２０１  電力制御テーブル
２０２  残余電力テーブル
４０２ａ、４０２ｂ、４０２ｃ  電池セル
【図１】
0005834227.tif 000002
【図２】
0005834227.tif 000003
【図３】
0005834227.tif 000004
【図４】
0005834227.tif 000005
【図５】
0005834227.tif 000006
【図６】
0005834227.tif 000007
【図７】
0005834227.tif 000008
【図８】
0005834227.tif 000009
【図９】
0005834227.tif 000010
【図１０】
0005834227.tif 000011
【図１１】
0005834227.tif 000012
【図１２】
0005834227.tif 000013
【図１３】
0005834227.tif 000014
【図１４】
0005834227.tif 000015
【図１５】
0005834227.tif 000016